(57)【要約】【課題】他者による解錠又は施錠を外出中のユーザに通知する施解錠通知システムを提供する。【解決手段】ＨＥＭＳ３０は、電気錠５２が施錠又は施錠された場合に、ユーザの携帯情報端末８２に電気錠５２が施錠又は解錠されたことを示す通知を送信する制御をする。また、ＨＥＭＳ３０は、建物１００のエアコン７８等の電力負荷手段の電力消費を抑制及び建物１００の防犯設定の少なくともいずれか一つを可能にする外出モードが設定された後に電気錠５２が最初に解錠された場合は、ユーザの携帯情報端末８２のうち所定の端末には電気錠６２が解錠されたことを示す通知を送信しない制御をする。【選択図】図１
2015219894.tif 000002
【特許請求の範囲】
【請求項１】
電子鍵によって施錠及び解錠される電気錠と、
前記電気錠が施錠又は解錠された場合に、通知先に前記電気錠が施錠又は解錠されたことを示す通知を送信する制御をすると共に、建物の電力負荷手段の電力消費を抑制及び該建物の防犯設定の少なくともいずれか一つを可能にする外出モードが設定された後に前記電気錠が最初に解錠された場合は、前記通知先のうち所定の通知先には前記電気錠が解錠されたことを示す通知を送信しない制御をする制御手段と、
を備えた施解錠通知システム。
【請求項２】
前記制御手段は、前記最初の解錠の次に前記電気錠が施錠された場合は、前記所定の通知先には前記電気錠が施錠されたことを示す通知を送信しない制御をする請求項１に記載の施解錠通知システム。
【請求項３】
前記制御手段は、前記最初の解錠の時から所定の時間内に前記電気錠が施錠された場合は、前記所定の通知先には前記電気錠が施錠されたことを示す通知を送信しない制御をする請求項１に記載の施解錠通知システム。
【発明の詳細な説明】
【技術分野】
【０００１】
本発明は、建物における施解錠通知システムに関する。
【背景技術】
【０００２】
建物の電気錠が解錠されると、解錠している人物の画像を、広域通信網を介して携帯電話機に送信することにより、外出中のユーザが、他のユーザの帰宅を知ることができるインターホンシステムが開示されている。
【先行技術文献】
【特許文献】
【０００３】
【特許文献１】特開２０１１−１５５４１６号公報
【発明の概要】
【発明が解決しようとする課題】
【０００４】
特許文献１に記載のインターホンシステムのように、解錠時の画像を常に送信すると、外出しようとしているユーザ本人がドアを解錠した場合にも、通知がされるという問題があった。
【０００５】
本発明は、上記事実を考慮して成されたもので、他者による解錠又は施錠を外出中のユーザに通知する施解錠通知システムを提供することを目的とする。
【課題を解決するための手段】
【０００６】
上記課題を解決するための請求項１の発明は、電子鍵によって施錠及び解錠される電気錠と、前記電気錠が施錠又は解錠された場合に、通知先に前記電気錠が施錠又は解錠されたことを示す通知を送信する制御をすると共に、建物の電力負荷手段の電力消費を抑制及び該建物の防犯設定の少なくともいずれか一つを可能にする外出モードが設定された後に前記電気錠が最初に解錠された場合は、前記通知先のうち所定の通知先には前記電気錠が解錠されたことを示す通知を送信しない制御をする制御手段と、を備える。
【０００７】
請求項１に記載の発明によれば、外出モードが設定された後の最初の解錠では、電気錠が解錠されたことを示す通知を、外出するユーザ本人等の所定の通知先に通知することを防止できる。
【０００８】
請求項２の発明は、請求項１に記載の発明において、前記制御手段は、前記最初の解錠の次に前記電気錠が施錠された場合は、前記所定の通知先には前記電気錠が施錠されたことを示す通知を送信しない制御をする。
【０００９】
請求項２に記載の発明によれば、外出モードが設定された後の最初の解錠の次の施錠では、電気錠が施錠されたことを示す通知を、ユーザ本人等の所定の通知先に通知することを防止できる。
【００１０】
請求項３の発明は、請求項１に記載の発明において、前記制御手段は、前記最初の解錠の時から所定の時間内に前記電気錠が施錠された場合は、前記所定の通知先には前記電気錠が施錠されたことを示す通知を送信しない制御をする。
【００１１】
請求項３に記載の発明によれば、最初の解錠の時から所定の時間内に電気錠が施錠された場合は、施錠したのは建物の戸締りに慣れている外出するユーザ本人であるとみなし、電気錠が施錠されたことを示す通知を、ユーザ本人等の所定の通知先に通知することを防止できる。
【発明の効果】
【００１２】
以上説明したように、請求項１に記載の発明は、外出モードが設定された後の最初の解錠では、電気錠が解錠されたことを示す通知を外出するユーザ本人等の所定の通知先に通知することを防止している。これにより、他者による解錠又は施錠を外出中のユーザに通知するという効果を有する。
【００１３】
請求項２に記載の発明によれば、外出モードが設定された後の最初の解錠の次の施錠では、電気錠が施錠されたことを示す通知をユーザ本人等の所定の通知先に通知することを防止し、他者による解錠又は施錠を外出中のユーザに通知するという効果を有する。
【００１４】
請求項３に記載の発明によれば、最初の解錠の時から所定の時間内に電気錠が施錠された場合は、施錠したのは建物の戸締りに慣れている外出するユーザ本人であるとみなしている。これにより、電気錠が施錠されたことを示す通知をユーザ本人等の所定の通知先に通知することを防止して、他者による解錠又は施錠を外出中のユーザに通知するという効果を有する。
【図面の簡単な説明】
【００１５】
【図１】本発明の実施の形態に係る施解錠通知システムの一例を示す概略図である。
【図２】本発明の実施の形態に係る施解錠通知システムにおけるＨＥＭＳの概略構成を示すブロック図である。
【図３】本発明の実施の形態に係る施解錠通知システムの外出モードでの解錠メールの送信に係る処理の一例を示すフローチャートである。
【図４】本発明の実施の形態に係る施解錠通知システムの外出モードでの解錠メール及び施錠メールの送信に係る処理の一例を示すフローチャートである。
【図５】本発明の実施の形態に係る施解錠通知システムの外出モードでの解錠メール及び施錠メールの送信に係る処理の第１の変形例を示すフローチャートである。
【図６】本発明の実施の形態に係る施解錠通知システムの外出モードでの解錠メール及び施錠メールの送信に係る処理の第２の変形例を示すフローチャートである。
【発明を実施するための形態】
【００１６】
以下、図面を参照して本実施の形態の一例を詳細に説明する。図１は、本実施の形態に係る施解錠通知システム１０の一例を示す概略図である。本実施の形態では、系統電力１２からの電力が、主幹ブレーカー１１０を介して建物１００の分電盤１４に供給されている。
【００１７】
主幹ブレーカー１１０の分電盤１４側には、系統電力１２から供給される電力の電流値を検知する主幹ブレーカー電流センサ１２０が設けられている。系統電力１２から分電盤１４に供給された電力は、分岐回路２０Ａ〜２０Ｅを介して寝室５６及びリビング５８に設置された電力負荷手段並びにドア６６に設けられた電気錠５２に分配されている。
【００１８】
本実施の形態では、一例として、分岐回路２０Ａ、２０Ｂはベッド６８を備えた寝室５６に導かれ、分岐回路２０Ａはエアコン７８に、分岐回路２０Ｂは照明２６に接続されている。また、分岐回路２０Ｃ、２０Ｄはリビング５８に導かれ、分岐回路２０Ｃはテレビ３２に、分岐回路２０Ｄは照明２８に接続されている。また、分岐回路２０Ｅは電気錠５２に接続されている。
【００１９】
分岐回路２０Ａ〜２０Ｅには分岐回路２０Ａ〜２０Ｅの電流値を計測する電流センサ２２Ａ〜２２Ｅが各々設けられている。電流センサ２２Ａ〜２２Ｅからの情報線は、主幹ブレーカー電流センサ１２０からの情報線と住宅内のエネルギーの管理や制御を行うＨＥＭＳ（Home Energy Management System）３０が分電盤１４を制御するための情報線と共にＨＥＭＳ３０に接続されている。なお、図１において破線は計測データ又は制御情報が流れる情報線であるとする。電流センサ２２Ａ〜２２Ｅが検知した電流値は当該電流値が検知された時に対応付けられて、電流センサ２２Ａ〜２２Ｅの検知結果としてＨＥＭＳ３０のメモリに記憶される。
【００２０】
分電盤１４の分岐回路２０Ａ〜２０Ｅには、分岐回路２０Ａ〜２０Ｅをオン状態又はオフ状態に切り替えるための分岐ブレーカー２４Ａ〜２４Ｅが各々設けられ、分岐ブレーカー２４Ａ〜２４Ｅは、ＨＥＭＳ３０によって制御される。なお、図１では、記載の簡略化のために分岐回路は５系統のみ記載しているが、本実施の形態では５系統以上でも５系統以下でもよく、分岐回路の本数に特段の限定はない。
【００２１】
ＨＥＭＳ３０は、本体とは別に室内操作盤７２が接続されており、図１で室内操作盤７２は、一例としてリビング５８に設置されている。室内操作盤７２は、液晶等の表示装置と、タッチパネル等の入力装置とが含まれた装置である。室内操作盤７２は、入力装置によって、ＨＥＭＳ３０の設定を変更する等の操作が可能であると共に、表示装置には建物１００の消費電力量及び電気錠５２の施錠又は解錠等の情報が表示可能である。本実施の形態では、ＨＥＭＳ３０と室内操作盤７２とが別々に設けられ、各々に表示部及び操作部が設けられた構成としているが、ＨＥＭＳ３０に表示部４６及び操作部４８が設けられているので、ＨＥＭＳ３０を室内に設けて室内操作盤７２を省くこともできる。
【００２２】
また、ＨＥＭＳ３０には電気錠５２が接続されている。ＨＥＭＳ３０は電気錠５２にＩＣタグを応用した電子鍵等によって入力された認証情報が適正か否かを判定し、肯定判定の場合には電気錠５２の施錠又は解錠を行う。電気錠５２を解錠するための認証情報は、ユーザを特定するためのいわゆるＩＤ情報である。ＩＤ情報は、例えば、複数の文字又は記号を含み、ユーザ毎に異なる構成となっている。
【００２３】
ＩＤ情報は、ユーザが寝室５６及びリビング５８に入室する場合にも各々読み取られるようにしてもよい。寝室５６の扉６２の近く、又はリビング５８の扉７０の近くにＩＤ情報を取得するための認証器(図示せず）を各々設け、電子鍵を持ったユーザが寝室５６又はリビング５８に入室すると、電子鍵のＩＤ情報が認証器で読み取られ、読み取られたＩＤ情報はＨＥＭＳ３０に送信される。これにより、ＨＥＭＳ３０は、認証器が読み取ったＩＤ情報に基づいて、建物１００内のユーザの居場所を把握することができる。
【００２４】
ＩＣタグを用いた電子鍵には、以下の２種類のタイプが存在する。１つは、自らＩＤ情報を含んだ電波を認証器に発信するアクティブ型。もう１つは、認証器に近づけた場合に認証器からの電磁波で電力が一時的にチャージされ、チャージされた電力でＮＦＣ（Near Field Communication）によるＩＤ情報の送信を行うパッシブ型である。本実施の形態では、アクティブ型及びパッシブ型のいずれでもよいが、ユーザが電子鍵の操作を意識せずに扱える点でアクティブ型は優れるので、以下、アクティブ型の電子鍵を用いることを前提に本実施の形態に係る施解錠通知システム１０について説明する。
【００２５】
また、ＨＥＭＳ３０にはゲートウェイである終端装置５４が接続されており、終端装置５４を介してネットワーク８０に接続されている。ネットワーク８０には、住居及びホームセキュリティ等に関する情報を建物１００に提供する情報センターの情報サーバ９０が接続されており、ＨＥＭＳ３０は、情報サーバ９０から住まい及びホームセキュリティの情報を適宜取得可能である。
【００２６】
本実施の形態では、電気錠５２が解錠された場合、ＨＥＭＳ３０は情報センターへ電気錠５２が解錠されたことを示す解錠メールをユーザの携帯情報端末８２に通知する指示をする。また、電気錠５２が施錠された場合、ＨＥＭＳ３０は情報センターへ電気錠５２が施錠されたことを示す施錠メールをユーザの携帯情報端末８２に通知する指示をする。
【００２７】
図２は、本実施の形態に係る施解錠通知システムに係るＨＥＭＳ３０の概略構成を示すブロック図である。ＨＥＭＳ３０は、コンピュータを含んで構成されており、図２に示すように、ＣＰＵ３６、ＲＯＭ３８、ＲＡＭ４０、及び入出力ポート４２を備えて、これらがアドレスバス、データバス、及び制御バス等のバス４４を介して互いに接続されている。
【００２８】
入出力ポート４２には、各種入出力機器として、表示部４６、操作部４８、及びメモリ５０が接続されている。なお、表示部４６及び操作部４８は一体で構成され、操作部４８は、表示部４６に設けられたタッチパネルを適用することができる。さらには、表示装置及び入力装置を備えた室内操作盤７２を、表示部４６及び操作部４８として用いてもよい。本実施の形態では、ＨＥＭＳ３０と室内操作盤７２とが別々に設けられ、各々に表示部及び操作部が設けられた構成としているが、ＨＥＭＳ３０に表示部４６及び操作部４８が設けられているので、ＨＥＭＳ３０を室内に設けて室内操作盤７２を省くこともできる。
【００２９】
続いて、本実施の形態に係る施解錠通知システム１０の作用並びに効果について説明する。図３は、本発明の実施の形態に係る施解錠通知システム１０の外出モードでの解錠メールの送信に係る処理の一例を示すフローチャートである。ステップ３００では、室内操作盤７２等の操作に基づき、ＨＥＭＳ３０を外出モードに設定する。外出モードでは、例えば、分電盤１４又は電力負荷手段を制御して、無人となった建物１００において不要となる電力消費を抑制するモードである。また、建物１００への侵入者を検知する人感センサを別途備えるのであれば、侵入者を検知して情報センターに通知する等の防犯設定が可能である。
【００３０】
ステップ３０２では、ユーザの解錠操作に基づいてドア６６の電気錠５２を解錠し、ステップ３０４では、ステップ３０２での解錠操作が外出モード設定後から１回目であるか否かを判定し、否定判定の場合には、ステップ３０６で、電気錠５２が解錠されたことを示す解錠メールをユーザの携帯情報端末８２に送信する指示を情報センターに行う。
【００３１】
ステップ３０４で肯定判定の場合には、ステップ３０６の処理をスキップし、ユーザへの解錠メールは送信しない。
【００３２】
ステップ３０８でユーザの操作に基づいてドア６６が開けられ、ステップ３１０では、ユーザの操作に基づいて、ドア６６の閉鎖、電気錠５２の施錠を行う。ステップ３１２では、電気錠５２が施錠されたことを示す施錠メールをユーザの携帯情報端末８２に送信する指示を情報センターに行う。
【００３３】
ステップ３１４では、外出モードが継続しているか否かを判定し、肯定判定の場合には手順をステップ３０２に戻す。ステップ３１４で否定判定の場合には、ＨＥＭＳ３０は通常モードに移行しているので、外出モードでの処理を終了する。
【００３４】
以上のように、図３に示した処理では、外出モード設定後に最初に解錠された場合は、解錠した者は外出するユーザ本人と考えられるので、外出するユーザを含めて、建物１００に居住するユーザの携帯情報端末８２には解錠メールを送信しない。かかる処理により、外出するユーザ本人による解錠の通知が行われないので、ユーザにとって不要な通知を受信することがなくなり、ユーザの煩わしさを軽減できる。
【００３５】
図４は、本実施の形態に係る施解錠通知システム１０の解錠メール及び施錠メールの送信に係る処理の一例を示すフローチャートである。ステップ４００では、室内操作盤７２等の操作に基づき、ＨＥＭＳ３０を外出モードに設定する。
【００３６】
ステップ４０２では、ユーザの解錠操作に基づいてドア６６の電気錠５２を解錠し、ステップ４０４では、ステップ４０２での解錠操作が外出モード設定後から１回目であるか否かを判定し、否定判定の場合には、ステップ４０６で、電気錠５２が解錠されたことを示す解錠メールをユーザの携帯情報端末８２に送信する指示を情報センターに行う。ステップ４０４で肯定判定の場合には、ステップ４０６の処理をスキップし、ユーザへの解錠メールは送信しない。
【００３７】
ステップ４０８でユーザの操作に基づいてドア６６が開けられ、ステップ４１０では、ユーザの操作に基づいて、ドア６６の閉鎖、電気錠５２の施錠を行う。
【００３８】
ステップ４１２では、ステップ４１０での施錠が、ステップ４０４で外出モード設定後の１回目の解錠操作と判定された後の最初の施錠操作であるか否かを判定する。ステップ４１２で否定判定の場合には、ステップ４１４で、電気錠５２が施錠されたことを示す施錠メールをユーザの携帯情報端末８２に送信する指示を情報センターに行う。
【００３９】
ステップ４１２で肯定判定の場合には、ステップ４１４の処理をスキップし、ユーザへの施錠メールは送信しない。
【００４０】
ステップ４１６では、外出モードが継続しているか否かを判定し、肯定判定の場合には手順をステップ４０２に戻す。ステップ４１６で否定判定の場合には、ＨＥＭＳ３０は通常モードに移行しているので、外出モードでの処理を終了する。
【００４１】
以上のように、図４に示した処理では、外出モード設定後に最初に解錠された場合は、解錠した者は外出するユーザ本人と考えられるので、外出するユーザを含めて、建物１００に居住するユーザの携帯情報端末８２には解錠メールを送信しない。さらに、外出モード設定後の１回目の解錠操作と判定された後の最初の施錠操作であれば、施錠した者は外出するユーザ本人と考えられるので、外出するユーザを含めて、建物１００に居住するユーザの携帯情報端末８２には施錠メールを送信しない。かかる処理により、外出するユーザ本人による解錠又は施錠の通知が行われないので、ユーザにとって不要な通知を受信することがなくなり、ユーザの煩わしさを軽減できる。
【００４２】
図５は、本実施の形態に係る施解錠通知システム１０の外出モードでの解錠メール及び施錠メールの送信に係る処理の第１の変形例を示すフローチャートである。ステップ５００では、室内操作盤７２等の操作に基づき、ＨＥＭＳ３０を外出モードに設定する。
【００４３】
ステップ５０２では、ユーザの解錠操作に基づいてドア６６の電気錠５２を解錠し、ステップ５０４では、ステップ５０２での解錠操作が外出モード設定後から１回目であるか否かを判定し、否定判定の場合には、ステップ５０６で、電気錠５２が解錠されたことを示す解錠メールをユーザの携帯情報端末８２に送信する指示を情報センターに行う。ステップ５０４で肯定判定の場合には、ステップ５０６の処理をスキップし、ユーザへの解錠メールは送信しない。
【００４４】
ステップ５０８でユーザの操作に基づいてドア６６が開けられ、ステップ５１０では、ユーザの操作に基づいて、ドア６６の閉鎖、電気錠５２の施錠を行う。
【００４５】
ステップ５１２では、施錠に係るＩＤ情報でメモリ５０を検索し、所定の通知先と関連付けられた電子鍵のＩＤ情報による施錠操作であるか否かを判定する。ステップ５１２で否定判定の場合には、ステップ５１４で、電気錠５２が施錠されたことを示す施錠メールをユーザの携帯情報端末８２に送信する指示を情報センターに行う。
【００４６】
ステップ５１２で肯定判定の場合には、ステップ５１４の処理をスキップし、ユーザへの施錠メールは送信しない。
【００４７】
ステップ５１６では、外出モードが継続しているか否かを判定し、肯定判定の場合には手順をステップ５０２に戻す。ステップ５１６で否定判定の場合には、ＨＥＭＳ３０は通常モードに移行しているので、外出モードでの処理を終了する。
【００４８】
以上のように、図５に示した処理では、外出モード設定後に最初に解錠された場合は、解錠した者は外出するユーザ本人と考えられるので、外出するユーザを含めて、建物１００に居住するユーザの携帯情報端末８２には解錠メールを送信しない。さらに、所定の通知先と関連付けられた電子鍵による施錠操作である場合、例えば、施錠したユーザのメールアドレスが当該ユーザの電子鍵に関連付けられている場合は、施錠したユーザを含めて、建物１００に居住するユーザの携帯情報端末８２には施錠メールを送信しない。かかる処理により、外出するユーザ本人による解錠又は施錠の通知が行われないので、ユーザにとって不要な通知を受信することがなくなり、ユーザの煩わしさを軽減できる。
【００４９】
なお、通知先と電子鍵との関連付けは、ＨＥＭＳ３０の室内操作盤７２等を介して、ＨＥＭＳ３０の記憶装置であるメモリ５０に登録する。例えば、ＨＥＭＳ３０は、室内操作盤７２等において、上記の関連付けをしたいユーザをリストから選択する等の操作がされたときに、当該ユーザの電子鍵と通知先の関連付けを登録する。
【００５０】
図６は、本実施の形態に係る施解錠通知システム１０の外出モードでの解錠メール及び施錠メールの送信に係る処理の第２の変形例を示すフローチャートである。ステップ６００では、室内操作盤７２等の操作に基づき、ＨＥＭＳ３０を外出モードに設定し、ステップ６０２では、カウンタをスタートさせる。
【００５１】
ステップ６０４では、ユーザの解錠操作に基づいてドア６６の電気錠５２を解錠し、ステップ６０６では、ステップ６０４での解錠操作が外出モード設定後から１回目であるか否かを判定し、否定判定の場合には、ステップ６０８で、電気錠５２が解錠されたことを示す解錠メールをユーザの携帯情報端末８２に送信する指示を情報センターに行う。ステップ６０６で肯定判定の場合には、ステップ６０８の処理をスキップし、ユーザへの解錠メールは送信しない。
【００５２】
ステップ６１０でユーザの操作に基づいてドア６６が開けられ、ステップ６１２では、ユーザの操作に基づいて、ドア６６の閉鎖、電気錠５２の施錠を行う。
【００５３】
ステップ６１４では、ステップ６００で外出モードが設定されてから所定の時間が経過したか否かを判定する。ステップ６１４で肯定判定の場合には、ステップ６１６で、電気錠５２が施錠されたことを示す施錠メールをユーザの携帯情報端末８２に送信する指示を情報センターに行い、ステップ６１８でカウンタをクリア（リセット）する。
【００５４】
ステップ６１４で否定判定の場合には、ステップ６１６及びステップ６１８の処理をスキップし、手順をステップ６２０に移行させる。
【００５５】
ステップ６２０では、外出モードが継続しているか否かを判定し、肯定判定の場合には手順をステップ６０４に戻す。ステップ６２０で否定判定の場合には、ＨＥＭＳ３０は通常モードに移行しているので、外出モードでの処理を終了する。
【００５６】
以上のように、図６に示した処理では、外出モード設定後に最初に解錠された場合は、解錠した者は外出するユーザ本人と考えられるので、外出するユーザを含めて、建物１００に居住するユーザの携帯情報端末８２には解錠メールを送信しない。さらに、外出モードを設定してから所定の時間以内に施錠された場合は、施錠したユーザを含めて、建物１００に居住するユーザの携帯情報端末８２には施錠メールを送信しない。建物１００の居住者であれば、外出モードの設定後の外出時の準備は所定時間内に完了すると考えられる。したがって、ＨＥＭＳ３０が外出モードに設定されてから、所定の時間以内に電気錠５２が施錠された場合であれば、施錠メールの送信をしないことにより、他者による解錠又は施錠を外出中のユーザに通知することができる。外出するユーザ本人による解錠又は施錠の通知は行われないので、ユーザにとって不要な通知を受信することがなくなり、ユーザの煩わしさを軽減できる。
【００５７】
所定の時間は任意だが、一例として１０分である。また、本実施の形態では、カウンタをＨＥＭＳ３０が外出モードに設定された時ではなく、ステップ６０４でドアが解錠された時にスタートさせてもよい。かかる場合も、建物１００の居住者であれば外出までの準備は手早く完了すると思われるので、所定時間以内に電気錠が施錠されたのであれば、施錠メールの送信を要しない。なお、カウンタをステップ６０４でドアが解錠された時にスタートさせた場合は、所定の時間は上記の１０分よりも短くする。例えば、３〜５分を所定の時間としてよい。
【００５８】
以上説明したように本実施の形態によれば、他者による解錠又は施錠を外出中のユーザに通知する施解錠通知システムを提供することが可能になる。外出するユーザ本人による解錠又は施錠の通知は行われないので、ユーザにとって不要な通知を受信することがなくなり、ユーザの煩わしさを軽減できる。
【００５９】
なお、本実施の形態では、図５の場合を除いて、施錠又は解錠したユーザを含む居住者であるユーザ全員へのメール送信を行わないようにした。図３，４，６の場合でも、外出モードが設定された後に電気錠５２が最初に解錠された場合、さらに再施錠された場合は、ユーザの通知先のうち登録されている所定の通知先には解錠又は施錠を知らせるメールを送信しない制御をしてもよい。
【符号の説明】
【００６０】
１０   施解錠通知システム
１２   系統電力
１４   分電盤
３０   ＨＥＭＳ
３２   テレビ
３６   ＣＰＵ
３８   ＲＯＭ
４０   ＲＡＭ
４２   入出力ポート
４４   バス
４６   表示部
４８   操作部
５０   メモリ
５２   電気錠
５４   終端装置
６６   ドア
７２   室内操作盤
７８   エアコン
８０   ネットワーク
８２   携帯情報端末
９０   情報サーバ
１００ 建物
【図１】
2015219894.tif 000003
【図２】
2015219894.tif 000004
【図３】
2015219894.tif 000005
【図４】
2015219894.tif 000006
【図５】
2015219894.tif 000007
【図６】
2015219894.tif 000008